(57)【要約】【課題】複数のアンテナ素子を小さな領域に設置する場合でも、複数のアンテナ素子間の結合を小さくすることができるアンテナ装置を得ることを目的とする。【解決手段】先端部がグランド導体板１の左辺と平行になるように途中で折り曲げられているアンテナ素子２１と、先端部がグランド導体板１の右辺と平行になるように途中で折り曲げられているアンテナ素子２２と、線状導体２３ａ〜２３ｅによって方形のループがグランド導体板１の上辺に沿うように形成されているアンテナ素子２３と、線状導体２４ａ〜２４ｅによって方形のループがグランド導体板１の下辺に沿うように形成されているアンテナ素子２４とを備える。【選択図】図１
2015122557.tif 000002
【特許請求の範囲】
【請求項１】
方形のグランド導体板と、
一端が前記グランド導体板の左角領域に配置されている第１の給電点と接続された状態で、前記グランド導体板に対して垂直に設置され、先端部が前記グランド導体板の左辺と平行になるように途中で折り曲げられている第１のアンテナ素子と、
一端が前記グランド導体板の右角領域に配置されている第２の給電点と接続された状態で、前記グランド導体板に対して垂直に設置され、先端部が前記グランド導体板の右辺と平行になるように途中で折り曲げられている第２のアンテナ素子と、
線状導体によって方形のループが前記グランド導体板の上辺に沿うように形成されており、前記方形の下辺の中央に第３の給電点が設けられている第３のアンテナ素子と、
線状導体によって方形のループが前記グランド導体板の下辺に沿うように形成されており、前記方形の下辺の中央に第４の給電点が設けられている第４のアンテナ素子と
を備えたアンテナ装置。
【請求項２】
前記第３のアンテナ素子に設けられている前記第３の給電点の両側に第１及び第２のキャパシタンスが装荷され、前記第４のアンテナ素子に設けられている前記第４の給電点の両側に第３及び第４のキャパシタンスが装荷されていることを特徴とする請求項１記載のアンテナ装置。
【請求項３】
前記第３の給電点と前記第１及び第２のキャパシタンスの間に第１のバランが接続され、前記第４の給電点と前記第３及び第４のキャパシタンスの間に第２のバランが接続され、前記第１のバランと前記グランド導体板の間に前記第３の給電点が接続され、前記第２のバランと前記グランド導体板の間に前記第４の給電点が接続されていることを特徴とする請求項２記載のアンテナ装置。
【請求項４】
方形のグランド導体板と、
一端が前記グランド導体板の左角領域に配置されている第１の給電点と接続された状態で、前記グランド導体板に対して垂直に設置され、先端部が前記グランド導体板の左辺と平行になるように途中で折り曲げられている第１のアンテナ素子と、
一端が前記グランド導体板の右角領域に配置されている第２の給電点と接続された状態で、前記グランド導体板に対して垂直に設置され、先端部が前記グランド導体板の右辺と平行になるように途中で折り曲げられている第２のアンテナ素子と、
一端が前記グランド導体板の上辺中央領域に配置されている第３の給電点と接続され、他端が前記上辺中央領域に配置されている第１のキャパシタンスと接続されている線状導体によって、方形の半ループが前記グランド導体板の上辺に沿うように形成されている第３のアンテナ素子と、
一端が前記グランド導体板の下辺中央領域に配置されている第４の給電点と接続され、他端が前記下辺中央領域に配置されている第２のキャパシタンスと接続されている線状導体によって、方形の半ループが前記グランド導体板の下辺に沿うように形成されている第４のアンテナ素子と
を備えたアンテナ装置。
【請求項５】
方形のグランド導体板と、
一端が前記グランド導体板の左角領域に配置されている第１の給電点と接続された状態で、前記グランド導体板に対して垂直に設置され、先端部が前記グランド導体板の左辺と平行になるように途中で折り曲げられている第１のアンテナ素子と、
一端が前記グランド導体板の右角領域に配置されている第２の給電点と接続された状態で、前記グランド導体板に対して垂直に設置され、先端部が前記グランド導体板の右辺と平行になるように途中で折り曲げられている第２のアンテナ素子と、
一端が前記グランド導体板の上辺中央領域に配置されている第３の給電点と接続され、他端が前記上辺中央領域に配置されている第１のキャパシタンスと接続されている線状導体によって、方形の半ループが前記グランド導体板の上辺に沿うように形成されている第３のアンテナ素子と、
一端が前記グランド導体板の下辺左側領域又は下辺右側領域に配置されている第４の給電点と接続され、他端が前記グランド導体板の下辺右側領域又は下辺左側領域に配置されている第２のキャパシタンスと接続されている線状導体によって半ループが形成されている第４のアンテナ素子と
を備えたアンテナ装置。
【請求項６】
前記第１の給電点が配置されている前記グランド導体板の左角領域は、前記グランド導体板の左上の角領域であり、
前記第２の給電点が配置されている前記グランド導体板の右角領域は、前記グランド導体板の右上の角領域であり、
前記第１及び第２のアンテナ素子の先端部が同じ方向に伸びていることを特徴とする請求項１から請求項５のうちのいずれか１項記載のアンテナ装置。
【請求項７】
方形の第１のグランド導体板と、
前記第１のグランド導体板の内側に配置され、前記第１のグランド導体板から一定の間隔を空けて前記第１のグランド導体板と平行に設置されている方形の第２のグランド導体板と、
一端が前記第１のグランド導体板の左角領域に配置されている第１の給電点と接続された状態で、前記第１のグランド導体板に対して垂直に設置され、先端部が前記第１のグランド導体板の左辺と平行になるように途中で折り曲げられている第１のアンテナ素子と、
一端が前記第１のグランド導体板の右角領域に配置されている第２の給電点と接続された状態で、前記第１のグランド導体板に対して垂直に設置され、先端部が前記第１のグランド導体板の右辺と平行になるように途中で折り曲げられている第２のアンテナ素子と、
一端が前記第２のグランド導体板の上辺中央領域に配置されている第３の給電点と接続され、他端が前記上辺中央領域に配置されている第１のキャパシタンスと接続されている線状導体によって、方形の半ループが前記第２のグランド導体板の上辺に沿うように形成されている第３のアンテナ素子と、
一端が前記第２のグランド導体板の下辺中央領域に配置されている第４の給電点と接続され、他端が前記下辺中央領域に配置されている第２のキャパシタンスと接続されている線状導体によって、方形の半ループが前記第２のグランド導体板の下辺に沿うように形成されている第４のアンテナ素子と
を備えたアンテナ装置。
【請求項８】
方形の第１のグランド導体板と、
前記第１のグランド導体板の内側に配置され、前記第１のグランド導体板から一定の間隔を空けて前記第１のグランド導体板と平行に設置されている方形の第２のグランド導体板と、
一端が前記第１のグランド導体板の左角領域に配置されている第１の給電点と接続された状態で、前記第１のグランド導体板に対して垂直に設置され、先端部が前記第１のグランド導体板の左辺と平行になるように途中で折り曲げられている第１のアンテナ素子と、
一端が前記第１のグランド導体板の右角領域に配置されている第２の給電点と接続された状態で、前記第１のグランド導体板に対して垂直に設置され、先端部が前記第１のグランド導体板の右辺と平行になるように途中で折り曲げられている第２のアンテナ素子と、
一端が前記第２のグランド導体板の上辺中央領域に配置されている第３の給電点と接続され、他端が前記上辺中央領域に配置されている第１のキャパシタンスと接続されている線状導体によって、方形の半ループが前記第２のグランド導体板の上辺に沿うように形成されている第３のアンテナ素子と、
一端が前記第２のグランド導体板の下辺左側領域又は下辺右側領域に配置されている第４の給電点と接続され、他端が前記第２のグランド導体板の下辺右側領域又は下辺左側領域に配置されている第２のキャパシタンスと接続されている線状導体によって半ループが形成されている第４のアンテナ素子と
を備えたアンテナ装置。
【請求項９】
前記第１の給電点が配置されている前記第１のグランド導体板の左角領域は、前記第１のグランド導体板の左上の角領域であり、
前記第２の給電点が配置されている前記第１のグランド導体板の右角領域は、前記第１のグランド導体板の右上の角領域であり、
前記第１及び第２のアンテナ素子の先端部が同じ方向に伸びていることを特徴とする請求項７または請求項８記載のアンテナ装置。
【請求項１０】
前記第１のグランド導体板は第１の誘電体基板の上に形成され、前記第２のグランド導体板は第２の誘電体基板の上に形成されていることを特徴とする請求項７から請求項９のうちのいずれか１項記載のアンテナ装置。
【発明の詳細な説明】
【技術分野】
【０００１】
この発明は、小形のマルチアンテナに関し、特に、小さな領域に４本のアンテナが配置されるアンテナ装置に関するものである。
【背景技術】
【０００２】
近年、無線通信システムの高速化や高品質化に伴って、例えば、ダイバーシチやＭＩＭＯ（Ｍｕｌｔｉｐｌｅ  Ｉｎｐｕｔ  Ｍｕｌｔｉｐｌｅ  Ｏｕｔｐｕｔ）など、送受信に複数のアンテナを用いるマルチアンテナ技術への要求が高まってきている。
ダイバーシチやＭＩＭＯが効果を十分に発揮するためには、複数のアンテナ間の結合をできる限り小さくして、アンテナ相関を低くする必要がある。
しかし、複数のアンテナを小型の通信端末等の小さな領域に搭載する場合、一般的にはアンテナ間の距離を十分に確保することが困難であるため、アンテナ間の結合が強くなり、通信性能が劣化する。
【０００３】
以下の特許文献１には、複数個の折り返しループアンテナが一列に配置されているダイバーシチアンテナが開示されている。
しかし、このダイバーシチアンテナでは、各ループアンテナの間隔を０．１５波長以上離す必要があることが特許文献１に記載されている。
【先行技術文献】
【特許文献】
【０００４】
【特許文献１】特開２０１２−１９１４０６号公報（段落番号［００５７］、図５）
【発明の概要】
【発明が解決しようとする課題】
【０００５】
従来のアンテナ装置は以上のように構成されているので、各ループアンテナの間隔を０．１５波長以上離す必要があり、複数のループアンテナを設置するための領域が大きくなってしまうなどの課題があった。
【０００６】
この発明は上記のような課題を解決するためになされたもので、複数のアンテナ素子を小さな領域に設置する場合でも、複数のアンテナ素子間の結合を小さくすることができるアンテナ装置を得ることを目的とする。
【課題を解決するための手段】
【０００７】
この発明に係るアンテナ装置は、方形のグランド導体板と、一端がグランド導体板の左角領域に配置されている第１の給電点と接続された状態で、グランド導体板に対して垂直に設置され、先端部がグランド導体板の左辺と平行になるように途中で折り曲げられている第１のアンテナ素子と、一端がグランド導体板の右角領域に配置されている第２の給電点と接続された状態で、グランド導体板に対して垂直に設置され、先端部がグランド導体板の右辺と平行になるように途中で折り曲げられている第２のアンテナ素子と、線状導体によって方形のループがグランド導体板の上辺に沿うように形成されており、その方形の下辺の中央に第３の給電点が設けられている第３のアンテナ素子と、線状導体によって方形のループがグランド導体板の下辺に沿うように形成されており、その方形の下辺の中央に第４の給電点が設けられている第４のアンテナ素子とを備えるようにしたものである。
【発明の効果】
【０００８】
この発明によれば、方形のグランド導体板と、一端がグランド導体板の左角領域に配置されている第１の給電点と接続された状態で、グランド導体板に対して垂直に設置され、先端部がグランド導体板の左辺と平行になるように途中で折り曲げられている第１のアンテナ素子と、一端がグランド導体板の右角領域に配置されている第２の給電点と接続された状態で、グランド導体板に対して垂直に設置され、先端部がグランド導体板の右辺と平行になるように途中で折り曲げられている第２のアンテナ素子と、線状導体によって方形のループがグランド導体板の上辺に沿うように形成されており、その方形の下辺の中央に第３の給電点が設けられている第３のアンテナ素子と、線状導体によって方形のループがグランド導体板の下辺に沿うように形成されており、その方形の下辺の中央に第４の給電点が設けられている第４のアンテナ素子とを備えるように構成したので、複数のアンテナ素子を小さな領域に設置する場合でも、複数のアンテナ素子間の結合を小さくすることができる効果がある。
【図面の簡単な説明】
【０００９】
【図１】この発明の実施の形態１によるアンテナ装置を示す構成図である。
【図２】（ａ）図１のアンテナ装置のうち、アンテナ素子２１，２２だけを残して、アンテナ素子２３，２４を削除した場合を示し、（ｂ）アンテナ素子２１とアンテナ素子２２を上下反対に設置した場合を示す説明図である。
【図３】４本の逆Ｌ型の構造を有するアンテナを平行に設置した場合のアンテナ装置を示す構成図である。
【図４】この発明の実施の形態２によるアンテナ装置を示す構成図である。
【図５】バラン６１の構成例を示す回路図である。
【図６】バラン６２の構成例を示す回路図である。
【図７】この発明の実施の形態３によるアンテナ装置を示す構成図である。
【図８】この発明の実施の形態４によるアンテナ装置を示す構成図である。
【図９】この発明の実施の形態５によるアンテナ装置を示す構成図である。
【図１０】この発明の実施の形態６によるアンテナ装置を示す構成図である。
【図１１】この発明の実施の形態６による他のアンテナ装置を示す構成図である。
【図１２】この発明の実施の形態６による他のアンテナ装置を示す構成図である。
【図１３】この発明の実施の形態７によるアンテナ装置を示す構成図である。
【図１４】この発明の実施の形態８によるアンテナ装置を示す構成図である。
【発明を実施するための形態】
【００１０】
実施の形態１．
図１はこの発明の実施の形態１によるアンテナ装置を示す構成図である。
図１において、グランド導体板１は方形の形状をなしており、図中、グランド導体板１の左上の角領域（左上の頂点付近の領域）には給電点１１（第１の給電点）が配置され、グランド導体板１の右上の角領域（右上の頂点付近の領域）には給電点１２（第２の給電点）が配置されている。
また、図中、グランド導体板１の上辺の中点付近には給電点１３（第３の給電点）が配置され、グランド導体板１の下辺の中点付近には給電点１４（第４の給電点）が配置されている。
なお、給電点１３，１４は、グランド導体板１の上辺又は下辺の中点付近に配置されていればよく、グランド導体板１の上に配置されていてもよいし、グランド導体板１の外側に配置されていてもよい。
【００１１】
第１のアンテナ素子であるアンテナ素子２１は一端が給電点１１と接続された状態で、グランド導体板１に対して略垂直に設置されている線状導体２１ａと、一端が線状導体２１ａの他端と接続されている線状導体２１ｂとから構成されており、アンテナ素子２１の先端部である線状導体２１ｂはグランド導体板１の左辺と略平行に設置されている。線状導体２１ａの一端とグランド導体板１の間を、給電点１１により給電する。
ここでは、線状導体２１ａと線状導体２１ｂが接続されている旨の記述をしているが、１本の線状導体が途中で折り曲げられて、線状導体２１ａと線状導体２１ｂが形成されているものを想定している。
【００１２】
第２のアンテナ素子であるアンテナ素子２２は一端が給電点１２と接続された状態で、グランド導体板１に対して略垂直に設置されている線状導体２２ａと、一端が線状導体２２ａの他端と接続されている線状導体２２ｂとから構成されており、アンテナ素子２２の先端部である線状導体２２ｂはグランド導体板１の右辺と略平行に設置されている。線状導体２２ａの一端とグランド導体板１の間を、給電点１２により給電する。
ここでは、線状導体２２ａと線状導体２２ｂが接続されている旨の記述をしているが、１本の線状導体が途中で折り曲げられて、線状導体２２ａと線状導体２２ｂが形成されているものを想定している。
【００１３】
第３のアンテナ素子であるアンテナ素子２３は線状導体２３ａ〜２３ｅ及びキャパシタンス４１，４２から構成されている。
線状導体２３ａ〜２３ｅはグランド導体板１の上辺に沿うように方形のループを形成しており、線状導体２３ａ，２３ｃ，２３ｅはグランド導体板１の上辺と略平行に設置されている。線状導体２３ａと線状導体２３ｅの長さは略同一である。
また、線状導体２３ｂ，２３ｄはグランド導体板１に対して略垂直に設置されており、線状導体２３ｂと線状導体２３ｄの長さは略同一である。
第１のキャパシタンスであるキャパシタンス４１はアンテナ素子２３の小形化を図るために、給電点１３と線状導体２３ａの間に装荷されている。
第２のキャパシタンスであるキャパシタンス４２はアンテナ素子２３の小形化を図るために、給電点１３と線状導体２３ｅの間に装荷されている。
キャパシタンス４１とキャパシタンス４２の間を、給電点１３により給電する。
【００１４】
第４のアンテナ素子であるアンテナ素子２４は線状導体２４ａ〜２４ｅ及びキャパシタンス４３，４４から構成されている。
線状導体２４ａ〜２４ｅはグランド導体板１の下辺に沿うように方形のループを形成しており、線状導体２４ａ，２４ｃ，２４ｅはグランド導体板１の下辺と略平行に設置されている。線状導体２４ａと線状導体２４ｅの長さは略同一である。
また、線状導体２４ｂ，２４ｄはグランド導体板１に対して略垂直に設置されており、線状導体２４ｂと線状導体２４ｄの長さは略同一である。
第３のキャパシタンスであるキャパシタンス４３はアンテナ素子２４の小形化を図るために、給電点１４と線状導体２４ａの間に装荷されている。
第４のキャパシタンスであるキャパシタンス４４はアンテナ素子２４の小形化を図るために、給電点１４と線状導体２４ｅの間に装荷されている。
キャパシタンス４３とキャパシタンス４４の間を、給電点１３により給電する。
【００１５】
面５０はグランド導体板１に対して垂直であり、面５０の上にはグランド導体板１の上辺の中点と下辺の中点がある。
この実施の形態１では、線状導体２１ａ，２２ａ，２３ｂ，２３ｄ，２４ｂ，２４ｄの長さは０．１波長以下である。また、グランド導体板１の左辺、右辺、上辺及び下辺の長さは０．３波長以下である。
なお、図１のアンテナ装置では、図示していないが、アンテナインピーダンスの整合を取るために、給電点１１〜１４に整合回路が設置される。
【００１６】
次に動作について説明する。
給電点１１からアンテナ素子２１に給電するとアンテナ素子２１が励振する。
即ち、給電点１１からアンテナ素子２１に給電すると、線状導体２１ａ，２１ｂ及びグランド導体板１に電流が流れて線状導体２１ａ，２１ｂが共振し、その結果、線状導体２１ａ，２１ｂから電磁波が放射される。
また、給電点１２からアンテナ素子２２に給電するとアンテナ素子２２が励振する。
即ち、給電点１２からアンテナ素子２２に給電すると、線状導体２２ａ，２２ｂ及びグランド導体板１に電流が流れて線状導体２２ａ，２２ｂが共振し、その結果、線状導体２２ａ，２２ｂから電磁波が放射される。
なお、アンテナ素子２１，２２は、途中で折り曲げられて、逆Ｌ型の構造をなしているため、通常のモノポールアンテナと比較して低姿勢化されている。
【００１７】
給電点１３からアンテナ素子２３に給電するとアンテナ素子２３が励振する。
即ち、給電点１３からアンテナ素子２３に給電すると、線状導体２３ａ〜２３ｅ及びキャパシタンス４１，４２に電流が流れて、線状導体２３ａ〜２３ｅ及びキャパシタンス４１，４２が共振し、その結果、線状導体２３ａ〜２３ｅから電磁波が放射される。
また、給電点１４からアンテナ素子２４に給電するとアンテナ素子２４が励振する。
即ち、給電点１４からアンテナ素子２４に給電すると、線状導体２４ａ〜２４ｅ及びキャパシタンス４３，４４に電流が流れて、線状導体２４ａ〜２４ｅ及びキャパシタンス４３，４４が共振し、その結果、線状導体２４ａ〜２４ｅから電磁波が放射される。
【００１８】
ここで、２本の逆Ｌ型の構造を有するアンテナ素子を平行に設置した場合の２本のアンテナ素子間の結合について説明する。
図２（ａ）は図１のアンテナ装置のうち、アンテナ素子２１，２２だけを残して、アンテナ素子２３，２４を削除した場合を示し、図２（ｂ）はアンテナ素子２１とアンテナ素子２２を上下反対に設置した場合を示している。
即ち、アンテナ素子２２の線状導体２２ａがグランド導体板１の右下の頂点付近に配置されている給電点１２に接続されている状態で、グランド導体板１に対して略垂直に設置され、線状導体２２ｂがグランド導体板１の右上の頂点に向かって伸びている。
【００１９】
２本の逆Ｌ型の構造を有するアンテナ素子を平行に設置する場合、２本のアンテナ素子を同じ向きに並べる方が、２本のアンテナ素子を反対向きに並べるより、２本のアンテナ素子間の結合を低減することができる。
したがって、図２（ａ）のように、アンテナ素子２１，２２を並べる方が、図２（ｂ）のように、アンテナ素子２１，２２を並べるより、２本のアンテナ素子間の結合を低減することができる。
このため、図１のアンテナ装置におけるアンテナ素子２１とアンテナ素子２２間の結合は小さいと言える。
【００２０】
次に、アンテナ素子２１，２２と、アンテナ素子２３，２４との間の結合について説明する。
図１のアンテナ装置では、アンテナ素子２３がある面は、アンテナ素子２１がある面及びアンテナ素子２２がある面に対して垂直である。したがって、アンテナ素子２３に流れる電流と、アンテナ素子２１，２２に流れる電流との間の結合は小さいものとなる。
同様に、アンテナ素子２４がある面は、アンテナ素子２１がある面及びアンテナ素子２２がある面に対して垂直である。したがって、アンテナ素子２４に流れる電流と、アンテナ素子２１，２２に流れる電流との間の結合は小さいものとなる。
【００２１】
また、アンテナ素子２３は平衡系のアンテナであり、グランド導体板１の上辺の中点付近に設置されており、面５０に関して対称な構造になっている。したがって、アンテナ素子２３が励振しても、グランド導体板１に流れる電流が小さくなり、アンテナ素子２３と、アンテナ素子２１，２２の間の結合は小さいものとなる。
同様に、アンテナ素子２４は平衡系のアンテナであり、グランド導体板１の下辺の中点付近に設置されており、面５０に関して対称な構造になっている。したがって、アンテナ素子２４が励振しても、グランド導体板１に流れる電流が小さくなり、アンテナ素子２４と、アンテナ素子２１，２２の間の結合は小さいものとなる。
【００２２】
アンテナ素子２１は、グランド導体板１の左辺の近くに設置され、アンテナ素子２２は、グランド導体板１の右辺の近くに設置されているので、アンテナ素子２１とアンテナ素子２２の間隔はある程度広く（４本のアンテナ素子を平行に設置する場合の各アンテナ素子の間隔より広い）、アンテナ素子２１とアンテナ素子２２の間の結合は小さくなる。
また、アンテナ素子２３は、グランド導体板１の上辺の近くに設置され、アンテナ素子２４は、グランド導体板１の下辺の近くに設置されているので、アンテナ素子２３とアンテナ素子２４の間隔はある程度広く、アンテナ素子２３とアンテナ素子２４の間の結合は小さくなる。
【００２３】
例えば、グランド導体板１の左辺及び右辺の長さが０．２２波長、上辺及び下辺の長さが０．２１波長であり、線状導体２１ａ，２２ａの長さが０．０４波長、線状導体２３ｂ，２３ｄ，２４ｂ，２４ｄの長さが０．０２波長であるとき、アンテナ素子間の結合を電磁界シミュレータにより計算すると、図１のアンテナ装置の構成では、アンテナ素子間の結合の最大値が−６．３ｄＢになる。
【００２４】
図３は４本の逆Ｌ型の構造を有するアンテナ素子を平行に設置した場合のアンテナ装置を示す構成図である。
図３において、給電点１５，１６はグランド導体板１の上辺付近に配置されており、給電点１１，１２，１５，１６は等間隔に配置されている。
アンテナ素子３１は一端が給電点１５と接続された状態で、グランド導体板１に対して垂直に設置されている線状導体３１ａと、一端が線状導体３１ａの他端と接続されている線状導体３１ｂとから構成されており、線状導体３１ｂは線状導体２１ｂ，２２ｂと略平行に設置されている。
アンテナ素子３２は一端が給電点１６と接続された状態で、グランド導体板１に対して垂直に設置されている線状導体３２ａと、一端が線状導体３２ａの他端と接続されている線状導体３２ｂとから構成されており、線状導体３２ｂは線状導体２１ｂ，２２ｂと略平行に設置されている。
【００２５】
図１のアンテナ装置と同様に、グランド導体板１の左辺及び右辺の長さが０．２２波長、上辺及び下辺の長さが０．２１波長である場合において、線状導体２１ａ，２２ａ，３１ａ，３２ａの長さが０．０４波長であるとき、アンテナ素子間の結合を電磁界シミュレータにより計算すると、図３のアンテナ装置の構成では、アンテナ素子間の結合の最大値が−３．４ｄＢと非常に高くなる。
したがって、この実施の形態１では、アンテナ素子間の結合を大幅に低減できていることを確認することができる。
ここでは、図１のアンテナ装置と、図３のアンテナ装置との間で、アンテナ素子間の結合を比較しているが、図２（ｂ）のように、２本のアンテナ素子２１，２２を反対向きに並べる構成でも、図３のアンテナ装置よりも、アンテナ素子間の結合を小さくすることができる。
このため、本発明のアンテナ装置では、図２（ａ）のように２本のアンテナ素子２１，２２を並べる構成に限らず、図２（ｂ）のように、２本のアンテナ素子２１，２２を反対向きに並べる構成も含まれる。
【００２６】
以上で明らかなように、この実施の形態１によれば、一端がグランド導体板１の左上の角領域に配置されている給電点１１と接続された状態で、グランド導体板１に対して略垂直に設置され、先端部がグランド導体板１の左辺と略平行になるように途中で折り曲げられているアンテナ素子２１と、一端がグランド導体板１の右上の角領域に配置されている給電点１２と接続された状態で、グランド導体板１に対して略垂直に設置され、先端部がグランド導体板１の右辺と略平行になるように途中で折り曲げられているアンテナ素子２２と、線状導体２３ａ〜２３ｅによって方形のループがグランド導体板１の上辺に沿うように形成されており、方形の下辺の中央に給電点１３が設けられているアンテナ素子２３と、線状導体２４ａ〜２４ｅによって方形のループがグランド導体板１の下辺に沿うように形成されており、方形の下辺の中央に給電点１４が設けられているアンテナ素子２４とを備えるように構成したので、複数のアンテナ素子を小さな領域に設置する場合でも、複数のアンテナ素子間の結合を小さくすることができる効果を奏する。
【００２７】
なお、この実施の形態１では、アンテナ素子２３の小形化を図るために、キャパシタンス４１，４２を装荷するとともに、アンテナ素子２４の小形化を図るために、キャパシタンス４３，４４を装荷しているものを示している。
このとき、キャパシタンス４１とキャパシタンス４２は、同じ容量値である方がアンテナ素子間の結合の低減効果が大きくなるが、異なる容量値でも、ある程度はアンテナ素子間の結合の低減効果が得られるので、必ずしも同じ容量値である必要はない。
同様に、キャパシタンス４３とキャパシタンス４４は、同じ容量値である方がアンテナ素子間の結合の低減効果が大きくなるが、異なる容量値でも、ある程度はアンテナ素子の間結合の低減効果が得られるので、必ずしも同じ容量値である必要はない。
【００２８】
また、この実施の形態１では、給電点１３がグランド導体板１の上辺の中点付近に配置されているものを示しているが、給電点１３がグランド導体板１の上辺の中点からずれていても、ある程度はアンテナ素子間の結合の低減効果が得られるので、必ずしも中点に配置されていなくてもよい。
同様に、給電点１４がグランド導体板１の下辺の中点付近に配置されているものを示しているが、給電点１４がグランド導体板１の下辺の中点からずれていても、ある程度はアンテナ素子間の結合の低減効果が得られるので、必ずしも中点に配置されていなくてもよい。
【００２９】
実施の形態２．
この実施の形態２のグランド導体板１は、例えば、無線ＩＣなどが搭載された誘電体基板のグランドを模擬したものであり、通常、この誘電体基板の上にはアンテナ素子２１〜２４への給電線路が配線される。
一般に、基板上に形成される給電線路は、マイクロストリップ線路等の不平衡線路である場合が多く、不平衡線路によって平衡系のアンテナ素子２３，２４に給電する場合には、不平衡モードを平衡モードに変換するバランが必要となる。
そこで、この実施の形態２では、バランを搭載しているアンテナ装置について説明する。
【００３０】
図４はこの発明の実施の形態２によるアンテナ装置を示す構成図であり、図４において、図１と同一符号は同一または相当部分を示すので説明を省略する。
第１のバランであるバラン６１は、グランド導体板１の上辺の中点付近に配置されている給電点１３とキャパシタンス４１，４２との間に接続されており、平衡系のアンテナ素子２３に給電する際に不平衡モードを平衡モードに変換する回路である。
第２のバランであるバラン６２は、グランド導体板１の下辺の中点付近に配置されている給電点１４とキャパシタンス４３，４４との間に接続されており、平衡系のアンテナ素子２４に給電する際に不平衡モードを平衡モードに変換する回路である。
【００３１】
図５はバラン６１の構成例を示す回路図である。
図５において、入出力端子７１は不平衡線路である給電線路に接続される端子であり、入出力端子７１とグランド導体板１の間を給電点１３により給電する。
入出力端子７２はキャパシタンス４１が接続される端子であり、入出力端子７３はキャパシタンス４２が接続される端子である。
インダクタンス７４は入出力端子７１と入出力端子７３の間に接続され、インダクタンス７５は入出力端子７２とグランド導体板１の間に接続されている。
キャパシタンス７６は入出力端子７１と入出力端子７２の間に接続され、キャパシタンス７７は入出力端子７３とグランド導体板１の間に接続されている。
【００３２】
図６はバラン６２の構成例を示す回路図である。
図６において、入出力端子８１は不平衡線路である給電線路に接続される端子であり、入出力端子８１とグランド導体板１の間を給電点１４により給電する。
入出力端子８２はキャパシタンス４３が接続される端子であり、入出力端子８３はキャパシタンス４４が接続される端子である。
インダクタンス８４は入出力端子８１と入出力端子８３の間に接続され、インダクタンス８５は入出力端子８２とグランド導体板１の間に接続されている。
キャパシタンス８６は入出力端子８１と入出力端子８２の間に接続され、キャパシタンス８７は入出力端子８３とグランド導体板１の間に接続されている。
【００３３】
この実施の形態２では、インダクタンス７４，７５とキャパシタンス７６，７７で構成されているバラン６１が、給電点１３とキャパシタンス４１，４２との間に接続されており、インダクタンス８４，８５とキャパシタンス８６，８７で構成されているバラン６２が、給電点１４とキャパシタンス４３，４４との間に接続されている。
このため、不平衡線路から給電点１３を介してアンテナ素子２３が給電されると、アンテナ素子２３が平衡モードで励振される。
また、不平衡線路から給電点１４を介してアンテナ素子２４が給電されると、アンテナ素子２４が平衡モードで励振される。
このように、バラン６１，６２を搭載することで、不平衡線路から給電点１３，１４を介してアンテナ素子２３，２４が給電される場合でも、アンテナ素子２３，２４が平衡モードで励振されるため、グランド導体板１に流れる電流を低減して、アンテナ素子２３，２４とアンテナ素子２１，２２との間の結合を小さくすることができる。
【００３４】
この実施の形態２では、バラン６１，６２がインダクタンスとキャパシタンスで構成されている例を示しているが、この構成に限定するものではなく、例えば、シュペルトップ型バランやＵ字バランなどを適用してもよい。
【００３５】
実施の形態３．
図７はこの発明の実施の形態３によるアンテナ装置を示す構成図であり、図７において、図１と同一符号は同一または相当部分を示すので説明を省略する。
この実施の形態３では、第３のアンテナ素子であるアンテナ素子２３は線状導体２３ａ〜２３ｇ及びキャパシタンス４５から構成されている。
線状導体２３ａ〜２３ｇはグランド導体板１の上辺に沿うように方形の半ループを形成しており、線状導体２３ａ，２３ｃ，２３ｅはグランド導体板１の上辺と略平行に設置されている。線状導体２３ａと線状導体２３ｅの長さは略同一である。
線状導体２３ｂ，２３ｄはグランド導体板１に対して略垂直に設置されており、線状導体２３ｂと線状導体２３ｄの長さは略同一である。
【００３６】
線状導体２３ｆは一端がグランド導体板１の上辺の中点付近（中央領域）に配置されている給電点１３と接続され、他端が線状導体２３ａと接続されるように、グランド導体板１と略平行に設置されている。線状導体２３ｆとグランド導体板１の間を給電点１３により給電する。
線状導体２３ｇは一端がグランド導体板１の上辺の中点付近（中央領域）に配置されているキャパシタンス４５と接続され、他端が線状導体２３ｅと接続されるように、グランド導体板１と略平行に設置されている。
【００３７】
第１のキャパシタンスであるキャパシタンス４５はアンテナ素子２３の小形化を図るために、一端がグランド導体板１の上辺の中点付近に接続され、他端が線状導体２３ｇと接続されている。
図７の例では、アンテナ素子２３が面５０に関して対称な構造となっており、給電点１３は上辺の中点より少しだけ左側の位置に配置され、キャパシタンス４５は上辺の中点より少しだけ右側の位置に配置されている。
【００３８】
この実施の形態３では、第４のアンテナ素子であるアンテナ素子２４は線状導体２４ａ〜２４ｇ及びキャパシタンス４６から構成されている。
線状導体２４ａ〜２４ｇはグランド導体板１の下辺に沿うように方形の半ループを形成しており、線状導体２４ａ，２４ｃ，２４ｅはグランド導体板１の下辺と略平行に設置されている。線状導体２４ａと線状導体２４ｅの長さは略同一である。
線状導体２４ｂ，２４ｄはグランド導体板１に対して略垂直に設置されており、線状導体２４ｂと線状導体２４ｄの長さは略同一である。
【００３９】
線状導体２４ｆは一端がグランド導体板１の下辺の中点付近（中央領域）に配置されている給電点１４と接続され、他端が線状導体２４ａと接続されるように、グランド導体板１と略平行に設置されている。線状導体２４ｆとグランド導体板１の間を給電点１４により給電する。
線状導体２４ｇは一端がグランド導体板１の下辺の中点付近（中央領域）に配置されているキャパシタンス４６と接続され、他端が線状導体２４ｅと接続されるように、グランド導体板１と略平行に設置されている。
【００４０】
第２のキャパシタンスであるキャパシタンス４６はアンテナ素子２４の小形化を図るために、一端がグランド導体板１の下辺の中点付近に接続され、他端が線状導体２４ｇと接続されている。
図７の例では、アンテナ素子２４が面５０に関して対称な構造となっており、給電点１４は下辺の中点より少しだけ左側の位置に配置され、キャパシタンス４６は下辺の中点より少しだけ右側の位置に配置されている。
【００４１】
上記実施の形態１では、アンテナ素子２３が２個のキャパシタンス４１，４２を備え、アンテナ素子２４が２個のキャパシタンス４３，４４を備えているものを示したが、この実施の形態３では、アンテナ素子２３が新たに線状導体２３ｆ，２３ｇを備えることで、実装するキャパシタンスをキャパシタンス４５の１個に抑え、また、アンテナ素子２４が新たに線状導体２４ｆ，２４ｇを備えることで、実装するキャパシタンスをキャパシタンス４６の１個に抑えている。
【００４２】
この実施の形態３では、不平衡線路から給電点１３を介してアンテナ素子２３の線状導体２３ｆに給電されるため、平衡系のアンテナ素子２３が不平衡給電されている。
同様に、不平衡線路から給電点１４を介してアンテナ素子２４の線状導体２４ｆに給電されるため、平衡系のアンテナ素子２４が不平衡給電されている。
しかし、アンテナ素子２３がグランド導体板１の上辺の中点付近に設置され、アンテナ素子２４がグランド導体板１の下辺の中点付近に設置されており、給電点１３，１４及びキャパシタンス４５，４６は面５０に近接している。即ち、アンテナ素子２３，２４が面５０に関して対称な構造となっている。
このため、平衡系のアンテナ素子２３，２４が不平衡給電される場合でも、グランド導体板１に流れる電流をある程度低減することができるため、アンテナ素子２３，２４とアンテナ素子２１，２２との間の結合を小さくすることができる。
この実施の形態３では、上記実施の形態２で示したようなバラン６１，６２を搭載する必要がないため、給電部の構成が簡易になると同時に、バラン６１，６２による損失が無くなり、アンテナ素子２３，２４の放射効率が向上する。
【００４３】
実施の形態４．
図８はこの発明の実施の形態４によるアンテナ装置を示す構成図であり、図８において、図７と同一符号は同一または相当部分を示すので説明を省略する。
この実施の形態４では、第４のアンテナ素子であるアンテナ素子２４が非対称な構造になっている。
第４の給電点である給電点１７はグランド導体板１の下辺左側領域（グランド導体板１における下辺の中点と左下頂点との間の位置）に配置されている。
第２のキャパシタンスであるキャパシタンス４７はグランド導体板１の下辺右側領域（グランド導体板１における下辺の中点と右下頂点との間の位置）に配置されている。
図８では、給電点１７がグランド導体板１の下辺左側領域に配置され、キャパシタンス４７がグランド導体板１の下辺右側領域に配置されている例を示しているが、給電点１７がグランド導体板１の下辺右側領域に配置され、キャパシタンス４７がグランド導体板１の下辺左側領域に配置されていてもよい。
【００４４】
アンテナ素子２４は線状導体２４ｈ〜２４ｊによって半ループが形成されており、線状導体２４ｈは一端が給電点１７と接続され、グランド導体板１に対して略垂直に設置されている。線状導体２４ｈとグランド導体板１の間を給電点１７により給電する。
線状導体２４ｉは一端が線状導体２４ｈと接続され、グランド導体板１の下辺と略水平に設置されている。
線状導体２４ｊは一端が線状導体２４ｉと接続され、他端がキャパシタンス４７と接続されており、グランド導体板１に対して略垂直に設置されている。キャパシタンス４７は、一端がグランド導体板１の下辺右側領域に接続され、他端が線状導体２４ｊと接続されている。
なお、線状導体２４ｈ，２４ｊの長さは０．１波長以下である。
【００４５】
この実施の形態４では、アンテナ素子２４が面５０に関して非対称な構造となっているため、給電点１７からアンテナ素子２４が給電されると、図７のアンテナ素子２４が給電される場合よりも、グランド導体板１に流れる電流が大きくなる。
しかし、図８のアンテナ素子２４は、アンテナ素子２１〜２３の給電点１１〜１３から離れているため、アンテナ素子２４とアンテナ素子２１〜２３の結合をある程度低減することができる。
したがって、アンテナ素子間の結合が大きくならないように、４つのアンテナ素子２１〜２４を小さな領域に設置することが可能である。
なお、グランド導体板１に流れる電流が大きくなることで、アンテナ素子２４の放射効率は向上する。
【００４６】
実施の形態５．
図９はこの発明の実施の形態５によるアンテナ装置を示す構成図であり、図９において、図８と同一符号は同一または相当部分を示すので説明を省略する。
グランド導体板２はグランド導体板１の内側に配置されている方形の導体板である。
なお、グランド導体板２はグランド導体板１から一定の間隔を空けて、グランド導体板１と平行に設置されている。
また、グランド導体板２の上辺は、グランド導体板１の上辺と略平行であり、グランド導体板１とグランド導体板２の間隔は０．１波長以下である。
この実施の形態５では、グランド導体板１が第１のグランド導体板を構成し、グランド導体板２が第２のグランド導体板を構成している。
【００４７】
この実施の形態５では、給電点１３がグランド導体板２の上辺の中点付近に配置されており、キャパシタンス４５の一端がグランド導体板２の上辺の中点付近に接続されている。
また、アンテナ素子２４がグランド導体板２の上に形成されている。
図９の例では、給電点１７がグランド導体板２の下辺左側領域（グランド導体板２における下辺の中点と左下頂点との間の位置）に配置され、キャパシタンス４７がグランド導体板２の下辺右側領域（グランド導体板２における下辺の中点と右下頂点との間の位置）に配置されているが、給電点１７がグランド導体板２の下辺右側領域に配置され、キャパシタンス４７がグランド導体板２の下辺左側領域に配置されていてもよい。
【００４８】
この実施の形態５では、アンテナ素子２１，２２をグランド導体板１の上に設置し、アンテナ素子２３，２４をグランド導体板２の上に設置しているので、アンテナ素子２１，２２とアンテナ素子２３，２４の間の結合を低減することができる。
また、グランド導体板１，２は、例えば、無線ＩＣ等が搭載された誘電体基板のグランドを模擬したものであるが、グランド導体板２を追加することで、部品や配線パターンを配置するエリアを大きくすることができる。
なお、グランド導体板１とグランド導体板２は、数ヶ所で導通していてもよいし、非導通であってもよい。
【００４９】
この実施の形態５では、線状導体２４ｈ〜２４ｊによって半ループが形成されているアンテナ素子２４がグランド導体板２の上に設置しているものを示したが、図７に示すように、線状導体２４ａ〜２４ｇ及びキャパシタンス４６から構成されているアンテナ素子２４がグランド導体板２の上に設置しているものであってもよく、アンテナ素子２１，２２とアンテナ素子２３，２４の間の結合を低減することができる。
この場合、給電点１７はグランド導体板２の下辺の中点付近に配置され、キャパシタンス４７の一端はグランド導体板２の下辺の中点付近に接続される。
【００５０】
実施の形態６．
図１０はこの発明の実施の形態６によるアンテナ装置を示す構成図であり、図１０において、図９と同一符号は同一または相当部分を示すので説明を省略する。
上記実施の形態５では、アンテナ素子２４を構成する線状導体２４ｈ，２４ｊをグランド導体板２に対して略垂直に設置して、アンテナ素子２４をグランド導体板２の上に設置しているものを示したが、図１０に示すように、アンテナ素子２４を構成する線状導体２４ｈ，２４ｊをグランド導体板２に対して垂直に立てずに、寝かせた状態で配置することで、線状導体２４ｈ〜２４ｊがグランド導体板２と水平になるように配置してもよい。
【００５１】
この実施の形態６では、給電点１７がグランド導体板２の下辺左側領域（グランド導体板２における下辺の中点と左下頂点との間の位置）に配置され、キャパシタンス４７の一端がグランド導体板２の下辺右側領域（グランド導体板２における下辺の中点と右下頂点との間の位置）に接続されており、線状導体２４ｈの一端が給電点１７と接続されて、線状導体２４ｊの他端がキャパシタンス４７と接続されているので、アンテナ素子２４はグランド導体板２の上に設置されている。
図１０では、線状導体２４ｈ〜２４ｊがグランド導体板１と接触しているようにも見えるが、線状導体２４ｈ〜２４ｊとグランド導体板１の間には隙間がある。
【００５２】
この場合も、上記実施の形態５と同様に、アンテナ素子２１，２２がグランド導体板１の上に設置され、アンテナ素子２３，２４がグランド導体板２の上に設置されているので、アンテナ素子２１，２２とアンテナ素子２３，２４の間の結合を低減することができる。
【００５３】
この実施の形態６では、線状導体２４ｈ〜２４ｊをコの字型に接続することで半ループを形成しているアンテナ素子２４を示したが、アンテナ素子２４が半ループを形成していれば、半ループの形状がコの字型であるものに限るものではなく、例えば、図１１や図１２に示すような半ループの形状であってもよい。
【００５４】
実施の形態７．
図１３はこの発明の実施の形態７によるアンテナ装置を示す構成図であり、図１３において、図１０と同一符号は同一または相当部分を示すので説明を省略する。
上記実施の形態６では、アンテナ素子２３を構成する線状導体２３ｂ，２３ｄをグランド導体板２に対して略垂直に設置して、アンテナ素子２３をグランド導体板２の上に設置しているものを示したが、図１３に示すように、アンテナ素子２３を構成する線状導体２３ｂ，２３ｄをグランド導体板２に対して垂直に立てずに、寝かせた状態で配置することで、線状導体２３ａ〜２３ｇがグランド導体板２と水平になるように配置してもよい。
【００５５】
この実施の形態７では、給電点１３がグランド導体板２の上辺の中点付近に配置され、キャパシタンス４５の一端がグランド導体板２の上辺の中点付近に接続されており、線状導体２３ｆの一端が給電点１３と接続されて、線状導体２３ｇの他端がキャパシタンス４５と接続されているので、アンテナ素子２３はグランド導体板２の上に設置されている。
図１３では、線状導体２３ａ〜２３ｇ及び線状導体２４ｈ〜２４ｊがグランド導体板１と接触しているようにも見えるが、線状導体２３ａ〜２３ｇ及び線状導体２４ｈ〜２４ｊとグランド導体板１の間には隙間がある。
【００５６】
この場合も、上記実施の形態５，６と同様に、アンテナ素子２１，２２がグランド導体板１の上に設置され、アンテナ素子２３，２４がグランド導体板２の上に設置されているので、アンテナ素子２１，２２とアンテナ素子２３，２４の間の結合を低減することができる。
【００５７】
実施の形態８．
上記実施の形態５〜７では、アンテナ素子２１，２２がグランド導体板１の上に設置され、アンテナ素子２３，２４がグランド導体板２の上に設置されているものを示したが、グランド導体板１，２が別々の誘電体基板の上に形成されているものであってもよい。
【００５８】
図１４はこの発明の実施の形態８によるアンテナ装置を示す構成図であり、図１４において、図１０と同一符号は同一または相当部分を示すので説明を省略する。
第１の誘電体基板である誘電体基板９１の上には、方形のグランド導体板１が銅箔で作成されている。
ただし、グランド導体板１における４つの頂点付近は切り取られており、左上の頂点付近にはランド導体１０１が作成され、右上の頂点付近にはランド導体１０２が作成されている。
また、左下の頂点付近にはランド導体１０３が作成され、右下の頂点付近にはランド導体１０４が作成されている。なお、ランド導体１０１〜１０４は、使用周波数の波長に比べて微小である。
第２の誘電体基板である誘電体基板９２は誘電体基板９１の内側に配置されており、誘電体基板９２の上には、方形のグランド導体板２が銅箔で作成されている。
【００５９】
第１のアンテナ素子であるアンテナ素子２１は一端がランド導体１０１を介して給電点１１と接続された状態で、グランド導体板１に対して略垂直に設置されている板状導体２１ｃと、ランド導体１０３と接続された状態で、グランド導体板１に対して略垂直に設置されている板状導体２１ｅと、板状導体２１ｃと板状導体２１ｅの間に接続されている板状導体２１ｄとから構成されている。ランド導体１０１とグランド導体板１の間を給電点１１により給電する。
図１４の例では、板状導体２１ｃと板状導体２１ｅの長さが異なっているが、同じ長さであってもよい。
【００６０】
図１０のアンテナ素子２１は逆Ｌ字型の形状を成しているのに対して、図１４のアンテナ素子２１はコの字型の形状を成しており、形状が相違しているが、動作は同様であり、給電点１１から給電されるとアンテナ素子２１が励振して電磁波が放射される。
ただし、図１４のアンテナ素子２１は、２点で誘電体基板９１に固定しているので、図１０のアンテナ素子２１よりも機械的な強度が高くなっている。
また、線状導体２１ａ，２１ｂではなく、幅がある板状導体２１ｃ〜２１ｅで構成されているので、更に機械的な強度が高くなっている。ただし、線状導体で構成してもよいことは言うまでもない。
ここでは、板状導体２１ｃと板状導体２１ｄと板状導体２１ｅが接続されている旨の記述をしているが、１本の板状導体が途中で折り曲げられて、板状導体２１ｃ〜２１ｅが形成されているものを想定している。
【００６１】
第２のアンテナ素子であるアンテナ素子２２は一端がランド導体１０２を介して給電点１２と接続された状態で、グランド導体板１に対して略垂直に設置されている板状導体２２ｃと、ランド導体１０４と接続された状態で、グランド導体板１に対して略垂直に設置されている板状導体２２ｅと、板状導体２２ｃと板状導体２２ｅの間に接続されている板状導体２２ｄとから構成されている。ランド導体１０２とグランド導体板１の間を給電点１２により給電する。
図１４の例では、板状導体２２ｃと板状導体２２ｅの長さが異なっているが、同じ長さであってもよい。
【００６２】
図１０のアンテナ素子２２は逆Ｌ字型の形状を成しているのに対して、図１４のアンテナ素子２２はコの字型の形状を成しており、形状が相違しているが、動作は同様であり、給電点１２から給電されるとアンテナ素子２２が励振して電磁波が放射される。
ただし、図１４のアンテナ素子２２は、２点で誘電体基板９１に固定しているので、図１０のアンテナ素子２２よりも機械的な強度が高くなっている。
また、線状導体２２ａ，２２ｂではなく、幅がある板状導体２２ｃ〜２２ｅで構成されているので、更に機械的な強度が高くなっている。ただし、線状導体で構成してもよいことは言うまでもない。
ここでは、板状導体２２ｃと板状導体２２ｄと板状導体２２ｅが接続されている旨の記述をしているが、１本の板状導体が途中で折り曲げられて、板状導体２２ｃ〜２２ｅが形成されているものを想定している。
【００６３】
第３のアンテナ素子であるアンテナ素子２３は板状導体２３ｈ〜２３ｌから構成されている。
板状導体２３ｈ〜２３ｌはグランド導体板２の上辺に沿うように方形のループを形成しており、板状導体２３ｈ，２３ｊ，２３ｌはグランド導体板２の上辺と略平行に設置されている。板状導体２３ｈと板状導体２３ｌの長さは略同一である。
また、板状導体２３ｉ，２３ｋはグランド導体板２に対して略垂直に設置されており、板状導体２３ｉと板状導体２３ｋの長さは略同一である。
なお、グランド導体板２の上辺の中点付近に配置されている給電点１３は板状導体２３ｈと接続されており、また、一端がグランド導体板２の上辺の中点付近に接続されているキャパシタンス４５の他端は板状導体２３ｌと接続されている。線状導体２３ｈとグランド導体板２の間を給電点１３により給電する。
【００６４】
図１０のアンテナ素子２３と図１４のアンテナ素子２３は形状が相違しているが、動作は同様であり、給電点１３から給電されるとアンテナ素子２３が励振して電磁波が放射される。
ただし、図１４のアンテナ素子２３は、線状導体２３ａ〜２３ｇではなく、幅がある板状導体２３ｈ〜２３ｌで構成されているので、機械的な強度が高くなっている。ただし、線状導体で構成してもよいことは言うまでもない。
なお、板状導体２３ｈ，２３ｌは、誘電体基板９２の上に銅箔パターンで作成することで、製造コストを低減させることができる。
また、板状導体２３ｉ〜２３ｋは、１本の板状導体を途中で折り曲げることで作成することができる。
【００６５】
第４のアンテナ素子であるアンテナ素子２４は板状導体２４ｋ〜２４ｍによって半ループが形成されており、板状導体２４ｋ〜２４ｍは誘電体基板９２の上に銅箔パターンで作成することで、製造コストを低減させることができる。
なお、グランド導体板２の下辺左側領域に配置されている給電点１７は板状導体２４ｋと接続されており、また、一端がグランド導体板２の下辺右側領域と接続されているキャパシタンス４７の他端は板状導体２４ｍと接続されている。線状導体２４ｋとグランド導体板２の間を給電点１７により給電する。
図１０のアンテナ素子２４と図１４のアンテナ素子２４は形状が相違しているが、動作は同様であり、給電点１７から給電されるとアンテナ素子２４が励振して電磁波が放射される。
図１４のアンテナ素子２４は、線状導体２４ｈ〜２４ｊではなく、幅がある板状導体２４ｋ〜２４ｍで構成されているが、線状導体で構成してもよいことは言うまでもない。
【００６６】
この実施の形態８では、グランド導体板１を誘電体基板９１の上に作成するとともに、グランド導体板２を誘電体基板９２の上に作成するようにしているので、上記実施の形態５〜７と同様に、アンテナ素子２１，２２とアンテナ素子２３，２４の間の結合を低減することができるほか、機械的な強度が高いアンテナ素子２１〜２４を小さな領域に設置することができる。
【００６７】
上記実施の形態１〜８では、グランド導体板１の形状が方形であるものを示したが、形状が概ね方形であればよく、例えば、その一部が切り欠かれていてもよい。また、グランド導体板１の形状は、４つの角が全て直角ではない四角形でもよい。
また、上記実施の形態５〜８では、グランド導体板２の形状が方形であるものを示したが、形状が概ね方形であればよく、例えば、その一部が切り欠かれていてもよい。また、グランド導体板２の形状は、４つの角が全て直角ではない四角形でもよい。
【００６８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６９】
１  グランド導体板（第１のグランド導体板）、２  グランド導体板（第２のグランド導体板）、１１  給電点（第１の給電点）、１２  給電点（第２の給電点）、１３  給電点（第３の給電点）、１４  給電点（第４の給電点）、１５，１６  給電点、１７  給電点（第４の給電点）、２１  アンテナ素子（第１のアンテナ素子）、２１ａ，２１ｂ  線状導体、２１ｃ〜２１ｅ  板状導体、２２  アンテナ素子（第２のアンテナ素子）、２２ａ，２２ｂ  線状導体、２２ｃ〜２２ｅ  板状導体、２３  アンテナ素子（第３のアンテナ素子）、２３ａ〜２３ｇ  線状導体、２３ｈ〜２３ｌ  板状導体、２４  アンテナ素子（第４のアンテナ素子）、２４ａ〜２４ｊ  線状導体、２４ｋ〜２４ｍ  板状導体、３１  アンテナ素子、３１ａ，３１ｂ  線状導体、３２  アンテナ素子、３２ａ，３２ｂ  線状導体、４１  キャパシタンス（第１のキャパシタンス）、４２  キャパシタンス（第２のキャパシタンス）、４３  キャパシタンス（第３のキャパシタンス）、４４  キャパシタンス（第４のキャパシタンス）、４５  キャパシタンス（第１のキャパシタンス）、４６  キャパシタンス（第２のキャパシタンス）、４７  キャパシタンス（第２のキャパシタンス）、５０  面、６１  バラン（第１のバラン）、６２  バラン（第２のバラン）、７１〜７３  入出力端子、７４，７５  インダクタンス、７６，７７  キャパシタンス、８１〜８３  入出力端子、８４，８５  インダクタンス、８６，８７  キャパシタンス、９１  誘電体基板（第１の誘電体基板）、９２  誘電体基板（第２の誘電体基板）、１０１〜１０４  ランド導体。
【図１】
2015122557.tif 000003
【図２】
2015122557.tif 000004
【図３】
2015122557.tif 000005
【図４】
2015122557.tif 000006
【図５】
2015122557.tif 000007
【図６】
2015122557.tif 000008
【図７】
2015122557.tif 000009
【図８】
2015122557.tif 000010
【図９】
2015122557.tif 000011
【図１０】
2015122557.tif 000012
【図１１】
2015122557.tif 000013
【図１２】
2015122557.tif 000014
【図１３】
2015122557.tif 000015
【図１４】
2015122557.tif 000016